(57)【要約】      （修正有）【課題】ロッカー等に具備された錠の開錠又は施錠の際に発生する鍵操作の煩わしさを軽減し、ロッカー等の扉を開けることなく荷物等の存在を確認できる鍵付ボックスの提供。【解決手段】携帯型電界通信装置１０を所持した登録者１が、固定型電界通信装置２０の電極２４が配置された床マットに接触した場合に、この携帯型電界通信装置１０に格納された識別情報が固定型電界通信装置２０を介して制御装置３０に送信され、その識別情報を受信した制御装置３０は、受信した識別情報と格納部に格納されている登録情報とが一致する場合に、開錠信号３００を鍵付ボックス４０に送信して錠の開錠を行う。また、制御装置３０が、荷物の存在を示す荷物存在信号を鍵付ボックス４０から受信した場合に、メッセージモニタ，メッセージスピーカ，又は表示ランプで報知する。【選択図】図１
2008082111.tif 000002
【特許請求の範囲】
【請求項１】
電極から電界を電界伝達媒体に誘起して電界通信を行うことが可能な携帯型電界通信装置及び固定型電界通信装置と、前記固定型電界通信装置に通信ネットワークを介して接続可能な制御装置と、前記制御装置により前記通信ネットワークを介して制御可能な鍵付ボックスと、を備えた鍵付ボックス制御システムであって、
前記携帯型電界通信装置は、前記鍵付ボックスの利用が登録された前記電界伝達媒体としての登録者に所持されるものであって、
前記登録者を識別するための識別情報を格納しておく第１の識別情報格納手段と、
前記識別情報を前記第１の識別情報格納手段から読み出して、送信電極から前記固定型電界通信装置へ電界により送信する第１の識別情報送信手段と、を有し、
前記固定型電界通信装置は、前記登録者が前記鍵付ボックスに接触可能な場所に位置する前記電界伝達媒体としての固定物体に配置されるものであって、
前記登録者が前記固定物体に接触した場合に、当該登録者と当該固定物体とを介して伝達されてくる前記識別情報を、受信電極を介して受信する第１の識別情報受信手段と、
受信した当該識別情報を、前記通信ネットワークを介して前記制御装置に送信する第２の識別情報送信手段と、を有し、
前記制御装置は、
前記登録者の登録情報を格納しておく登録情報格納手段と、
前記通信ネットワークを介して前記識別情報を受信する第２の識別情報受信手段と、
前記登録情報を前記登録情報格納手段から読み出して、受信した当該識別情報が当該登録情報に一致するかどうかを判定する判定手段と、
両者が一致する場合に、前記鍵付ボックスに具備された錠を開錠する開錠信号を、前記通信ネットワークを介して前記鍵付ボックスに送信する開錠信号送信手段と、
を有することを特徴とする鍵付ボックス制御システム。
【請求項２】
前記固定型電界通信装置は、
前記登録者が前記固定物体に接触し続けているかどうかを確認するための確認信号を、送信電極から前記固定物体へ電界により所定の間隔で送信する確認信号送信手段と、
前記受信電極を介して当該確認信号に対する応答信号を前記携帯型電界通信装置から所定の時間内に受信しない場合に、前記通信ネットワークを介して登録者非接触信号を前記制御装置に送信する登録者非接触信号送信手段と、を更に有し、
前記制御装置は、
前記登録者非接触信号を受信した場合に、前記鍵付ボックスに具備された錠を施錠する施錠信号を、前記通信ネットワークを介して前記鍵付ボックスに送信する施錠信号送信手段を更に有することを特徴とする請求項１に記載の鍵付ボックス制御システム。
【請求項３】
前記制御装置は、前記通信ネットワークを介して前記鍵付ボックスから送信された前記鍵付ボックス内の荷物の存在を示す荷物存在信号を受信した場合に、前記通信ネットワークを介して当該制御装置に接続された荷物の存在を知らせるための出力装置を制御する第１の制御手段を更に有することを特徴とする請求項１又は２に記載の鍵付ボックス制御システム。
【請求項４】
前記第１の制御手段は、前記出力装置の表示部を点灯させることを特徴とする請求項３に記載の鍵付ボックス制御システム。
【請求項５】
前記制御装置は、前記登録者へのメッセージを格納しておくメッセージ格納手段を更に有し、
前記第１の制御手段は、前記メッセージを前記メッセージ格納手段から読み出して、前記出力装置の出力部に当該メッセージを出力させることを特徴とする請求項３又は４に記載の鍵付ボックス制御システム。
【請求項６】
前記電界伝達媒体としての他の固定物体に配置され、前記通信ネットワークを介して前記制御装置に接続可能な行先判定用の他の固定型電界通信装置を更に有し、
前記制御装置は、
前記荷物存在信号を受信した場合に、荷物の存在を示す荷物存在情報を格納する荷物存在情報格納手段と、
前記登録者が前記他の固定物体に接触し、前記他の固定型電界通信装置を介して前記携帯型電界通信装置から送信されてきた識別情報と前記登録情報格納手段に格納された前記登録情報とが一致する場合に、前記荷物存在情報格納手段に前記荷物存在情報が格納されているかどうかに基づいて、前記通信ネットワークを介して当該制御装置に接続された行先を知らせるための行先判定装置を制御する第２の制御手段と、
を更に有することを特徴とする請求項３乃至５のいずれか１項に記載の鍵付ボックス制御システム。
【請求項７】
前記第２の制御手段は、前記荷物存在情報格納手段に前記荷物存在情報が格納されている場合に、前記行先判定装置の出力部に前記鍵付ボックスが配置された場所を指し示す方向を出力させることを特徴とする請求項６に記載の鍵付ボックス制御システム。
【請求項８】
電極から電界を電界伝達媒体に誘起して電界通信を行うことが可能な携帯型電界通信装置及び固定型電界通信装置と、前記固定型電界通信装置に通信ネットワークを介して接続可能な制御装置と、前記制御装置により前記通信ネットワークを介して制御可能な鍵付ボックスと、で処理する鍵付ボックス制御方法であって、
前記鍵付ボックスの利用が登録された前記電界伝達媒体としての登録者に所持される前記携帯型電界通信装置により、
前記登録者を識別するための識別情報を第１の識別情報格納手段に格納しておくステップと、
前記識別情報を前記第１の識別情報格納手段から読み出して、送信電極から前記固定型電界通信装置へ電界により送信するステップと、を有し、
前記登録者が前記鍵付ボックスに接触可能な場所に位置する前記電界伝達媒体としての固定物体に配置される前記固定型電界通信装置により、
前記登録者が前記固定物体に接触した場合に、当該登録者と当該固定物体とを介して伝達されてくる前記識別情報を、受信電極を介して受信するステップと、
受信した当該識別情報を第２の識別情報格納手段に格納するステップと、
当該識別情報を前記第２の識別情報格納手段から読み出して、前記通信ネットワークを介して前記制御装置に送信するステップと、を有し、
前記制御装置により、
前記登録者の登録情報を登録情報格納手段に格納しておくステップと、
前記通信ネットワークを介して前記識別情報を受信するステップと、
前記登録情報を前記登録情報格納手段から読み出して、受信した当該識別情報が当該登録情報に一致するかどうかを判定するステップと、
両者が一致する場合に、前記鍵付ボックスに具備された錠を開錠する開錠信号を、前記通信ネットワークを介して前記鍵付ボックスに送信するステップと、
を有することを特徴とする鍵付ボックス制御方法。
【請求項９】
鍵付ボックスの利用が登録された登録者が前記鍵付ボックスに接触可能な場所に位置する電界伝達媒体としての固定物体に配置された電極から電界を電界伝達媒体に誘起して電界通信を行うことが可能な固定型電界通信装置に通信ネットワークを介して接続可能な制御装置であって、
前記登録者の登録情報を格納しておく登録情報格納手段と、
前記通信ネットワークを介して前記固定型電界通信装置から送信されてきた前記登録者の識別情報を受信する識別情報受信手段と、
前記登録情報を前記登録情報格納手段から読み出して、受信した当該識別情報が当該登録情報に一致するかどうかを判定する判定手段と、
両者が一致する場合に、前記鍵付ボックスに具備された錠を開錠する開錠信号を、前記通信ネットワークを介して前記鍵付ボックスに送信する開錠信号送信手段と、
を有することを特徴とする制御装置。
【請求項１０】
前記登録者が前記固定物体に接触していないことを示す登録者非接触信号を前記固定型電界通信装置から受信した場合に、前記鍵付ボックスに具備された錠を施錠する施錠信号を、前記通信ネットワークを介して前記鍵付ボックスに送信する施錠信号送信手段を更に有することを特徴とする請求項９に記載の制御装置。
【請求項１１】
前記通信ネットワークを介して前記鍵付ボックスから送信された前記鍵付ボックス内の荷物の存在を示す荷物存在信号を受信した場合に、前記通信ネットワークを介して当該制御装置に接続された荷物の存在を知らせるための出力装置を制御する第１の制御手段を更に有することを特徴とする請求項９又は１０に記載の制御装置。
【請求項１２】
前記電界伝達媒体としての他の固定物体に配置され、前記通信ネットワークを介して前記制御装置に接続可能な行先判定用の他の固定型電界通信装置を更に有し、
前記荷物存在信号を受信した場合に、荷物の存在を示す荷物存在情報を格納する荷物存在情報格納手段と、
前記登録者が前記他の固定物体に接触し、前記他の固定型電界通信装置を介して前記携帯型電界通信装置から送信されてきた識別情報と前記登録情報格納手段に格納された前記登録情報とが一致する場合に、前記荷物存在情報格納手段に前記荷物存在情報が格納されているかどうかに基づいて、前記通信ネットワークを介して当該制御装置に接続された行先を知らせるための行先判定装置を制御する第２の制御手段と、
を更に有することを特徴とする請求項１１に記載の制御装置。
【発明の詳細な説明】
【技術分野】
【０００１】
本発明は、電界伝達媒体に誘起される電界を利用して通信を行う電界通信装置を使用して、鍵付ボックスを制御する技術に関する。
【背景技術】
【０００２】
従来、マンション等に設置されたロッカーや郵便受け等には錠前が具備され、その錠前を施錠することで第三者による盗難等を防止していた。
【０００３】
錠前の種類は数多く存在するが、一般的には、機械式錠前やダイアル式番号鍵などの物理鍵が多く用いられており（非特許文献１参照）、最近では、ＲＦＩＤ（Ｒａｄｉｏ  ｆｒｅｑｕｅｎｃｙ  ｉｄｅｎｔｉｆｉｃａｔｉｏｎ）や非接触ＩＣカード等の電気的性質を利用した鍵が多く製品化されている（非特許文献２参照）。
【０００４】
これらＲＦＩＤや非接触ＩＣカード等を錠前の機能として利用する場合、利用者は、所持しているＩＤ発信機をリーダー装置に近づけることで、ロッカー等に施された錠を開錠することが可能である。即ち、ＩＤ受信機として機能するリーダー装置は、電波や電磁波を介して利用者のＩＤを読み取り、そのＩＤが事前に登録された利用者のＩＤと一致する場合に開錠用の信号を錠に送信して開錠を行う。
【非特許文献１】N-forme、［online］、［平成１８年７月１４日検索］、インターネット＜URL:http://www.n-forme.jp/nforme/index.htm＞
【非特許文献２】ALPHA、［online］、［平成１８年７月１４日検索］、インターネット＜URL:http://www.kk-alpha.com/locker/juyobutsu/index.html＞
【発明の開示】
【発明が解決しようとする課題】
【０００５】
しかしながら、ここ最近でこそ、非接触ＩＣカード等の技術を用いた鍵が多く利用されているが、物理鍵を用いたロッカー等は未だ多く存在しており、開錠する為には、鍵を錠に差し込んで回転させる動作や番号を合わせる動作を必要とするので、鍵をポケットやバッグ等から取り出す手間や、鍵と錠の操作上の煩雑さが問題であった。
【０００６】
また、物理鍵の紛失や盗難が発生した場合、セキュリティを確保するには、鍵と錠の全体を交換する必要があるので、迅速なるセキュリティ確保の困難性という問題があった。
【０００７】
更に、非接触ＩＣカード等を用いる場合、ＩＤであるデータを利用して認証するので、このＩＤカードが盗まれた場合であっても、そのデータの値を変更することで、セキュリティの確保を可能とする。故に、物理鍵を用いる場合よりも迅速にセキュリティの確保が可能であるが、その一方で、開錠又は施錠する際には、ＩＤカードをその都度取り出してリーダー装置にかざす必要があるので、物理鍵を用いる場合と同様に、開錠の際には手間がかかるという問題があった。特に、手荷物が多くて両手が塞がっている場合に、ＩＣカードをバッグの中から見つけ出し、わざわざリーダー装置にかざすことは非常に面倒である。
【０００８】
また、通常、ロッカー等の扉は不透明なので、荷物がロッカー等の中に存在するかどうかを外部から一見して把握できないという問題があった。内容物を確認するには、荷物が存在しない場合であっても、開錠して扉を開ける動作を必ず行う必要がある。一方、ロッカーの扉が透明である場合には、内容物が第三者に盗み見られる可能性があるので、盗難に合う可能性が高くなり、個人情報保護の観点からもセキュリティ状態が低いという問題があった。
【０００９】
本発明は、上記を鑑みてなされたものであり、ロッカー等に具備された錠の開錠又は施錠の際に発生する鍵操作の煩わしさを軽減することを第１の課題とし、ロッカー等の扉を開けることなく荷物等の存在を確認することを第２の課題とする。
【課題を解決するための手段】
【００１０】
第１の本発明に係る鍵付ボックス制御システムは、電極から電界を電界伝達媒体に誘起して電界通信を行うことが可能な携帯型電界通信装置及び固定型電界通信装置と、前記固定型電界通信装置に通信ネットワークを介して接続可能な制御装置と、前記制御装置により前記通信ネットワークを介して制御可能な鍵付ボックスと、を備えた鍵付ボックス制御システムであって、前記携帯型電界通信装置は、前記鍵付ボックスの利用が登録された前記電界伝達媒体としての登録者に所持されるものであって、前記登録者を識別するための識別情報を格納しておく第１の識別情報格納手段と、前記識別情報を前記第１の識別情報格納手段から読み出して、送信電極から前記固定型電界通信装置へ電界により送信する第１の識別情報送信手段と、を有し、前記固定型電界通信装置は、前記登録者が前記鍵付ボックスに接触可能な場所に位置する前記電界伝達媒体としての固定物体に配置されるものであって、前記登録者が前記固定物体に接触した場合に、当該登録者と当該固定物体とを介して伝達されてくる前記識別情報を、受信電極を介して受信する第１の識別情報受信手段と、受信した当該識別情報を、前記通信ネットワークを介して前記制御装置に送信する第２の識別情報送信手段と、を有し、前記制御装置は、前記登録者の登録情報を格納しておく登録情報格納手段と、前記通信ネットワークを介して前記識別情報を受信する第２の識別情報受信手段と、前記登録情報を前記登録情報格納手段から読み出して、受信した当該識別情報が当該登録情報に一致するかどうかを判定する判定手段と、両者が一致する場合に、前記鍵付ボックスに具備された錠を開錠する開錠信号を、前記通信ネットワークを介して前記鍵付ボックスに送信する開錠信号送信手段と、を有することを特徴とする。
【００１１】
本発明にあっては、携帯型電界通信装置を所持した登録者が、固定型電界通信装置の電極が配置された固定物体に接触した場合に、この携帯型電界通信装置に格納された識別情報が固定型電界通信装置を介して制御装置に送信され、その識別情報を受信した制御装置は、受信した識別情報と登録情報格納手段に格納されている登録情報とが一致する場合に、開錠信号を鍵付ボックスに送信するので、鍵を操作することなく容易に鍵付ボックスの錠を開錠することができる。
【００１２】
第２の本発明に係る鍵付ボックス制御システムは、前記固定型電界通信装置が、前記登録者が前記固定物体に接触し続けているかどうかを確認するための確認信号を、送信電極から前記固定物体へ電界により所定の間隔で送信する確認信号送信手段と、前記受信電極を介して当該確認信号に対する応答信号を前記携帯型電界通信装置から所定の時間内に受信しない場合に、前記通信ネットワークを介して登録者非接触信号を前記制御装置に送信する登録者非接触信号送信手段と、を更に有し、前記制御装置は、前記登録者非接触信号を受信した場合に、前記鍵付ボックスに具備された錠を施錠する施錠信号を、前記通信ネットワークを介して前記鍵付ボックスに送信する施錠信号送信手段を更に有することを特徴とする。
【００１３】
本発明にあっては、固定型電界通信装置が、確認信号に対する応答信号を携帯型電界通信装置から所定の時間内に受信しない場合に、登録者非接触信号を制御装置に送信し、制御装置は、この登録者非接触信号を受信した場合に、施錠信号を鍵付ボックスに送信するので、鍵を操作することなく容易に鍵付ボックスの錠を施錠することができる。更に、携帯型電界通信装置を所持した登録者が固定物体から離れることで鍵付ボックスが施錠されるので、鍵付ボックスの錠の施錠を確実に行ったかどうかに係る不安を登録者から取り除くことができる。
【００１４】
第３の本発明に係る鍵付ボックス制御システムは、前記制御装置が、前記通信ネットワークを介して前記鍵付ボックスから送信された前記鍵付ボックス内の荷物の存在を示す荷物存在信号を受信した場合に、前記通信ネットワークを介して当該制御装置に接続された荷物の存在を知らせるための出力装置を制御する第１の制御手段を更に有することを特徴とする。
【００１５】
本発明にあっては、制御装置が、鍵付ボックスから送信された荷物の存在を示す荷物存在信号を受信した場合に、荷物の存在を知らせるための出力装置を制御するので、鍵付ボックスの錠を開錠して扉を開けることなく、荷物の存在を確認することができる。また、出力装置の制御により荷物の存在を把握することが可能なので、鍵付ボックスの扉をあえて透明にする必要がなく、内容物が第三者に盗み見られる等のプライバシー侵害を防ぐことができる。
【００１６】
第４の本発明に係る鍵付ボックス制御システムは、前記第１の制御手段が、前記出力装置の表示部を点灯させることを特徴とする。
【００１７】
本発明にあっては、制御装置が、鍵付ボックスから送信された荷物の存在を示す荷物存在信号を受信した場合に、荷物の存在を知らせるための出力装置の表示部を点灯させるので、鍵付ボックスの錠を開錠して扉を開けることなく、荷物の存在を容易に確認することができる。
【００１８】
第５の本発明に係る鍵付ボックス制御システムは、前記制御装置が、前記登録者へのメッセージを格納しておくメッセージ格納手段を更に有し、前記第１の制御手段は、前記メッセージを前記メッセージ格納手段から読み出して、前記出力装置の出力部に当該メッセージを出力させることを特徴とする。
【００１９】
本発明にあっては、制御装置が、鍵付ボックスから送信された荷物の存在を示す荷物存在信号を受信した場合に、メッセージ格納手段に格納されたメッセージを読み出して、荷物の存在を知らせるための出力装置の出力部に出力させるので、鍵付ボックスの錠を開錠して扉を開けることなく、荷物の存在を容易に確認することができる。
【００２０】
第６の本発明に係る鍵付ボックス制御システムは、前記電界伝達媒体としての他の固定物体に配置され、前記通信ネットワークを介して前記制御装置に接続可能な行先判定用の他の固定型電界通信装置を更に有し、前記制御装置は、前記荷物存在信号を受信した場合に、荷物の存在を示す荷物存在情報を格納する荷物存在情報格納手段と、前記登録者が前記他の固定物体に接触し、前記他の固定型電界通信装置を介して前記携帯型電界通信装置から送信されてきた識別情報と前記登録情報格納手段に格納された前記登録情報とが一致する場合に、前記荷物存在情報格納手段に前記荷物存在情報が格納されているかどうかに基づいて、前記通信ネットワークを介して当該制御装置に接続された行先を知らせるための行先判定装置を制御する第２の制御手段と、を更に有することを特徴とする。
【００２１】
本発明にあっては、制御装置が、行先判定用の他の固定型電界通信装置から送信されてきた識別情報と登録情報格納手段に格納された登録情報とが一致する場合に、荷物存在情報格納手段に荷物存在情報が格納されているかどうかに基づいて、行先を知らせるための行先判定装置を制御するので、登録者は、鍵付ボックスに接触可能な場所に位置する固定物体に接触することなく、荷物の存在や行先を確認することができる。
【００２２】
第７の本発明に係る鍵付ボックス制御システムは、前記第２の制御手段は、前記荷物存在情報格納手段に前記荷物存在情報が格納されている場合に、前記行先判定装置の出力部に前記鍵付ボックスが配置された場所を指し示す方向を出力させることを特徴とする。
【００２３】
本発明にあっては、制御装置が、荷物存在情報格納手段に荷物存在情報が格納されている場合に、行先判定装置の出力部に鍵付ボックスが配置された場所を指し示す方向を出力させるので、登録者は、鍵付ボックスに接触可能な場所に位置する固定物体に接触することなく、荷物の存在や鍵付ボックスが配置された場所を容易に把握することができる。
【００２４】
第８の本発明に係る鍵付ボックス制御方法は、電極から電界を電界伝達媒体に誘起して電界通信を行うことが可能な携帯型電界通信装置及び固定型電界通信装置と、前記固定型電界通信装置に通信ネットワークを介して接続可能な制御装置と、前記制御装置により前記通信ネットワークを介して制御可能な鍵付ボックスと、で処理する鍵付ボックス制御方法であって、前記鍵付ボックスの利用が登録された前記電界伝達媒体としての登録者に所持される前記携帯型電界通信装置により、前記登録者を識別するための識別情報を第１の識別情報格納手段に格納しておくステップと、前記識別情報を前記第１の識別情報格納手段から読み出して、送信電極から前記固定型電界通信装置へ電界により送信するステップと、を有し、前記登録者が前記鍵付ボックスに接触可能な場所に位置する前記電界伝達媒体としての固定物体に配置される前記固定型電界通信装置により、前記登録者が前記固定物体に接触した場合に、当該登録者と当該固定物体とを介して伝達されてくる前記識別情報を、受信電極を介して受信するステップと、受信した当該識別情報を第２の識別情報格納手段に格納するステップと、当該識別情報を前記第２の識別情報格納手段から読み出して、前記通信ネットワークを介して前記制御装置に送信するステップと、を有し、前記制御装置により、前記登録者の登録情報を登録情報格納手段に格納しておくステップと、前記通信ネットワークを介して前記識別情報を受信するステップと、前記登録情報を前記登録情報格納手段から読み出して、受信した当該識別情報が当該登録情報に一致するかどうかを判定するステップと、両者が一致する場合に、前記鍵付ボックスに具備された錠を開錠する開錠信号を、前記通信ネットワークを介して前記鍵付ボックスに送信するステップと、を有することを特徴とする。
【００２５】
第９の本発明に係る制御装置は、鍵付ボックスの利用が登録された登録者が前記鍵付ボックスに接触可能な場所に位置する電界伝達媒体としての固定物体に配置された電極から電界を電界伝達媒体に誘起して電界通信を行うことが可能な固定型電界通信装置に通信ネットワークを介して接続可能な制御装置であって、前記登録者の登録情報を格納しておく登録情報格納手段と、前記通信ネットワークを介して前記固定型電界通信装置から送信されてきた前記登録者の識別情報を受信する識別情報受信手段と、前記登録情報を前記登録情報格納手段から読み出して、受信した当該識別情報が当該登録情報に一致するかどうかを判定する判定手段と、両者が一致する場合に、前記鍵付ボックスに具備された錠を開錠する開錠信号を、前記通信ネットワークを介して前記鍵付ボックスに送信する開錠信号送信手段と、を有することを特徴とする。
【００２６】
第１０の本発明に係る制御装置は、前記登録者が前記固定物体に接触していないことを示す登録者非接触信号を前記固定型電界通信装置から受信した場合に、前記鍵付ボックスに具備された錠を施錠する施錠信号を、前記通信ネットワークを介して前記鍵付ボックスに送信する施錠信号送信手段を更に有することを特徴とする。
【００２７】
第１１の本発明に係る制御装置は、前記通信ネットワークを介して前記鍵付ボックスから送信された前記鍵付ボックス内の荷物の存在を示す荷物存在信号を受信した場合に、前記通信ネットワークを介して当該制御装置に接続された荷物の存在を知らせるための出力装置を制御する第１の制御手段を更に有することを特徴とする。
【００２８】
第１２の本発明に係る制御装置は、前記電界伝達媒体としての他の固定物体に配置され、前記通信ネットワークを介して前記制御装置に接続可能な行先判定用の他の固定型電界通信装置を更に有し、前記荷物存在信号を受信した場合に、荷物の存在を示す荷物存在情報を格納する荷物存在情報格納手段と、前記登録者が前記他の固定物体に接触し、前記他の固定型電界通信装置を介して前記携帯型電界通信装置から送信されてきた識別情報と前記登録情報格納手段に格納された前記登録情報とが一致する場合に、前記荷物存在情報格納手段に前記荷物存在情報が格納されているかどうかに基づいて、前記通信ネットワークを介して当該制御装置に接続された行先を知らせるための行先判定装置を制御する第２の制御手段と、を更に有することを特徴とする。
【発明の効果】
【００２９】
本発明によれば、ロッカー等に具備された錠の開錠又は施錠の際に発生する鍵操作の煩わしさを軽減すると共に、ロッカー等の扉を開けることなく荷物等の存在を確認することができる。
【発明を実施するための最良の形態】
【００３０】
以下、本発明の実施の形態について図面を用いて説明する。
【００３１】
［第１の実施の形態］
図１は、第１の実施の形態に係る鍵付ボックス制御システムの概略的な構成を示す模式図である。図１に示すように、本実施の形態における鍵付ボックス制御システムは、登録者１に所持される携帯型電界通信装置１０、固定物体２に接続される固定型電界通信装置２０、固定型電界通信装置２０に通信ネットワーク３を介して接続される制御装置３０、及び、制御装置３０により通信ネットワーク３を介して制御可能な鍵付ボックス４０、を備えた構成である。
【００３２】
最初に、携帯型電界通信装置１０の構成について、図２のブロック図を用いて説明する。携帯型電界通信装置１０は、情報処理を行う処理部１１、登録者１の識別情報１００を格納しておく格納部１２、及び、電界を電界伝達媒体としての登録者１に誘起する通信回路１３と電極１４、を備えた構成である。
【００３３】
携帯型電界通信装置１０の動作について説明する。携帯型電界通信装置１０は、処理部１１により識別情報１００を格納部１２から読み出して、通信回路１３により電極１４から携帯型電界通信装置１０を所持している登録者１に電界を誘起し、識別情報１００を電極１４から登録者１に送信する。尚、通信回路１３の構成及び動作については後述する。
【００３４】
次に、固定型電界通信装置２０の構成について、図３のブロック図を用いて説明する。固定型電界通信装置２０は、情報処理を行う処理部２１、携帯型電界通信装置１０から伝達されてくる登録者１の識別情報１００を格納する格納部２２、電界を電界伝達媒体としての固定物体２に誘起する通信回路２３と電極２４、及び、識別情報１００を制御装置３０に送信する送信部２５、を備えた構成である。同図に示すように、電極２４は、より確実に固定物体２に接触させるため、処理部２１等の他の構成部を覆う筐体の外部に配置され、リード線等により通信回路２３に接続されている。勿論、図２で示す携帯型電界通信装置１０のように、電極２４を同一筐体に含めた固定型電界通信装置２０とすることも可能である。尚、本実施の形態における固定物体２は、登録者１が鍵付ボックス４０に接触可能な場所に位置する電界伝達媒体としての床マットであり、この床マットの表面に電極２４が接触配置されている。
【００３５】
固定型電界通信装置２０の動作について説明する。固定型電界通信装置２０は、携帯型電界通信装置１０を所持している登録者１が床マットに接触した場合に、携帯型電界通信装置１０から伝達されてくる識別情報１００を、登録者１と床マットとを介して通信回路２３により電極２４で受信する。そして、処理部２１は、受信した識別情報１００を格納部２２に格納する。その後、処理部２１は、識別情報１００を格納部２２から読み出して、通信ネットワーク３を介して送信部２５から制御装置３０に送信する。ここで、処理部２１は、受信した識別情報１００を格納部２２に格納することなく、送信部２５から制御装置３０に直接送信することも可能である。尚、通信回路２３の構成及び動作については後述する。
【００３６】
続いて、制御装置３０の構成について、図４のブロック図を用いて説明する。制御装置３０は、情報処理を行う処理部３１、登録者１の登録情報２００を格納しておく格納部３２、固定型電界通信装置２０と鍵付ボックス４０との通信を行う通信部３３、を備えた構成である。尚、制御装置３０は、コンピュータで構成され、各部の処理は、プログラムで実行される。
【００３７】
制御装置３０の動作について説明する。制御装置３０は、固定型電界通信装置２０から送信されてきた識別情報１００を通信部３３で受信する。そして、処理部３１は、登録情報２００を格納部３２から読み出して、受信した識別情報１００が登録情報２００に一致するかどうかを判定する。判定の結果、両者が一致する場合に、処理部３１は、鍵付ボックス４０に具備された錠の開錠を行う開錠信号３００を、通信ネットワーク３を介して通信部３３から鍵付ボックス４０に送信する。
【００３８】
次に、携帯型電界通信装置１０における通信回路１３、及び、固定型電界通信装置２０における通信回路２３の構成及び動作について説明する。
【００３９】
図５は、通信回路１３及び通信回路２３の共通の構成を示すブロック図である。以下、通信回路１３を例に説明する。
【００４０】
図５に示すように、処理部１１と電極１４との間を接続する通信回路１３は、インタフェース５０を介して処理部１１に接続される。通信回路１３は、この処理部１１からインタフェース５０を介して他の電界通信装置に送信するための送信データを受け取ると、レベル調整回路５１で送信データの信号振幅を調整してから、送信回路５２を介して送信電極１４ａに供給するようになっている。
【００４１】
送信電極１４ａは、送信回路５２から送信データが供給されると、この送信データに対応する電界を電界伝達媒体に誘起する。この誘起された電界は、電界伝達媒体を伝達して、他の電界通信装置の受信電極１４ｂで受信される。受信された電界は、一般に微弱でありまた多くの雑音信号を含んでいるため、増幅及びノイズを除去して波形の整形をした後、処理部１１に送信される。
【００４２】
受信された電界の増幅は、電気的方法又は光学的方法によって行われる。電気的方法は、周知の増幅回路を用いることができ簡便であるが、応答速度に限界がある。図５は、応答速度の速い光学的方法の構成例を示す。電界検出光学部５３は、受信電極１４ｂで受信した電界が供給され、電界光学手法を利用した電界検出光学部５３内で別途発生するレーザ光を偏光変化させ、この偏光変化したレーザ光を受光回路５４で電気信号に変換する。この電気信号は、バンドパスフィルタ５５での帯域制限により不要な雑音が除去され、更に波形整形回路５６で波形が整形されてから、インタフェース５０を介して処理部１１に供給されるようになっている。
【００４３】
なお、送信電極１４ａと受信電極１４ｂは、一体化して１つの電極１４で各電極を構成しても良いものである。
【００４４】
次に、図１乃至図４を参照し、本実施の形態に係る鍵付ボックス制御システムの全体的な動作について説明する。
【００４５】
携帯型電界通信装置１０は、処理部１１により登録者１の識別情報１００を格納部１２から読み出して、通信回路１３により電極１４から携帯型電界通信装置１０を所持している登録者１に電界を誘起し、識別情報１００を電極１４から登録者に送信する。
【００４６】
携帯型電界通信装置１０を所持している登録者１が床マットに接触した場合に、固定型電界通信装置２０は、携帯型電界通信装置１０から伝達されてくる識別情報１００を、登録者１と床マットとを介して通信回路２３により電極２４で受信する。そして、処理部２１は、受信した識別情報１００を格納部２２に格納する。その後、処理部２１は、識別情報１００を格納部２２から読み出し、通信ネットワーク３を介して送信部２５から制御装置３０に送信する。尚、先に説明したように、処理部２１は、受信した識別情報１００を格納部２２に格納することなく、送信部２５から制御装置３０に直接送信することもできる。
【００４７】
制御装置３０は、固定型電界通信装置２０から送信されてきた識別情報１００を通信部３３で受信する。受信後、処理部３１は、登録情報２００を格納部３２から読み出して、受信した識別情報１００が登録情報２００に一致するかどうかを判定する。判定の結果、両者が一致する場合に、処理部３１は、通信ネットワーク３を介して通信部３３から鍵付ボックス４０に開錠信号３００を送信する。
【００４８】
鍵付ボックス４０は、制御装置３０から送信されてきた開錠信号３００に基づき、鍵付ボックス４０に具備された錠を開錠する。
【００４９】
本実施の形態によれば、携帯型電界通信装置１０を所持した登録者１が、固定型電界通信装置２０の電極２４が配置された床マットに接触した場合に、この携帯型電界通信装置１０に格納された識別情報１００が固定型電界通信装置２０を介して制御装置３０に送信され、その識別情報１００を受信した制御装置３０は、受信した識別情報１００と格納部３２に格納されている登録情報２００とが一致する場合に、鍵付ボックス４０に具備された錠を開錠する開錠信号３００を鍵付ボックス４０に送信するので、鍵を操作することなく容易に鍵付ボックス４０の錠を開錠することができる。
【００５０】
［第２の実施の形態］
図６は、第２の実施の形態に係る鍵付ボックス制御システムの概略的な構成を示す模式図である。図６に示すように、本実施の形態における鍵付ボックス制御システムは、第１の実施の形態における鍵付ボックス制御システムの構成と同様である。
【００５１】
最初に、携帯型電界通信装置１０の構成について説明する。携帯型電界通信装置１０の構成は、図２のブロック図を用いて説明した第１の実施の形態における携帯型電界通信装置１０の構成と同様なので、ここでは重複した説明を省略する。
【００５２】
携帯型電界通信装置１０の動作について説明する。携帯型電界通信装置１０は、固定型電界通信装置２０から所定の間隔で送信されてくる確認信号４０１を受信した場合に、通信回路１３により電極１４から携帯型電界通信装置１０を所持している登録者１に電界を誘起し、応答信号４００を電極１４から登録者１に所定の時間内に送信する。
【００５３】
次に、固定型電界通信装置２０の構成について説明する。固定型電界通信装置２０の構成は、図３のブロック図を用いて説明した第１の実施の形態における固定型電界通信装置２０の構成と同様なので、ここでは重複した説明を省略する。
【００５４】
固定型電界通信装置２０の動作について説明する。処理部２１は、通信回路２３により電極２４から床マットに電界を誘起し、確認信号４０１を電極２４から所定の間隔で床マットに送信する。固定型電界通信装置２０は、携帯型電界通信装置１０を所持している登録者１が床マットに接触し続けている場合に、確認信号４０１に対する応答信号４００を、登録者１と床マットとを介して通信回路２３により電極２４で受信する。そして、処理部２１は、応答信号４００を所定の時間内で受信しない場合に、登録者非接触信号５００を、通信ネットワーク３を介して送信部２５から制御装置３０に送信する。
【００５５】
続いて、制御装置３０の構成について説明する。制御装置３０の構成は、図４のブロック図を用いて説明した第１の実施の形態における制御装置３０の構成と同様なので、ここでは重複した説明を省略する。
【００５６】
制御装置３０の動作について説明する。制御装置３０は、固定型電界通信装置２０から送信されてきた登録者非接触信号５００を通信部３３で受信する。受信後、処理部３１は、鍵付ボックス４０に具備された錠を施錠する施錠信号３０１を、通信ネットワーク３を介して通信部３３から鍵付ボックス４０に送信する。
【００５７】
次に、本実施の形態に係る鍵付ボックス制御システムの全体的な動作について説明する。
【００５８】
固定型電界通信装置２０の処理部２１は、通信回路２３により電極２４から床マットに電界を誘起し、確認信号４０１を電極２４から所定の間隔で床マットに送信する。
【００５９】
携帯型電界通信装置１０を所持している登録者１が床マットに接触し続けている場合、携帯型電界通信装置１０の処理部１１は、固定型電界通信装置２０から所定の間隔で送信されてくる確認信号４０１に対し、通信回路１３により電極１４から携帯型電界通信装置１０を所持している登録者１に電界を誘起し、応答信号４００を電極１４から登録者１に所定の時間内で送信する。
【００６０】
固定型電界通信装置２０は、確認信号４０１に対する応答信号４００を、登録者１と床マットとを介して通信回路２３により電極２４で受信する。登録者１が床マットから離れる動作を行うことにより、応答信号４００を所定の時間内で受信しない場合、固定型電界通信装置２０の処理部２１は、登録者非接触信号５００を、通信ネットワーク３を介して送信部２５から制御装置３０に送信する。
【００６１】
上記動作について、図７を用いて具体的に説明する。図７は、登録者１が固定物体２である床マットから離れる場合の携帯型電界通信装置１０と固定型電界通信装置２０との動作を示すシーケンス図である。固定型電界通信装置２０は、携帯型電界通信装置１０に確認信号（＃１）４０１を送信し、携帯型電界通信装置１０は、確認信号（＃１）４０１に対する応答としての応答信号（＃１）４００を返信する。固定型電界通信装置２０は、確認信号（＃１）４０１の送信時、その確認信号（＃１）４０１に対応するタイマー（＃１）を動作させ、事前に登録されたタイマー（＃１）の所定の時間内に応答信号（＃１）４００を受信するかどうかを確認する。応答信号（＃１）４００を所定の時間内で受信した場合、固定型電界通信装置２０は、携帯型電界通信装置１０に確認信号（＃２）４０１を送信すると共に、タイマー（＃２）を動作させ、タイマー（＃２）の所定の時間内で応答信号４００（＃２）を受信するかどうかを確認する。
【００６２】
以上の動作を、固定型電界通信装置２０と携帯型電界通信装置１０との間で繰り返し行うことで、固定型電界通信装置２０は、登録者１が床マットに接触し続けているかどうかを確認する。登録者１が床マットから離れた場合、固定型電界通信装置２０は、例えば、確認信号（＃４）４０１に対する応答信号（＃４）４０１をタイマー（＃４）の所定の時間内で受信しないので、登録者非接触信号５００を制御装置３０に送信する。
【００６３】
図６に戻り、制御装置３０は、固定型電界通信装置２０から送信されてきた登録者非接触信号５００を通信部３３で受信する。そして、処理部３１は、通信ネットワーク３を介して通信部３３から鍵付ボックス４０に施錠信号３０１を送信する。
【００６４】
鍵付ボックス４０は、制御装置３０から送信されてきた施錠信号３０１に基づき、鍵付ボックス４０に具備された錠を施錠する。
【００６５】
本実施の形態によれば、固定型電界通信装置２０が、確認信号４０１に対する応答信号４００を携帯型電界通信装置１０から所定の時間内に受信しない場合に、登録者非接触信号５００を制御装置３０に送信し、制御装置３０は、この登録者非接触信号５００を受信した場合に、鍵付ボックス４０に具備された錠を開錠する施錠信号３０１を鍵付ボックス４０に送信するので、鍵を操作することなく容易に鍵付ボックス４０の錠を施錠できる。更に、携帯型電界通信装置１０を所持した登録者１が床マットから離れることで鍵付ボックス４０が施錠されるので、鍵付ボックス４０の錠の施錠を確実に行ったかどうかに係る不安を登録者から取り除くことができる。
【００６６】
［第３の実施の形態］
図８は、第３の実施の形態に係る鍵付ボックス制御システムの概略的な構成を示す模式図である。図８に示すように、本実施の形態における鍵付ボックス制御システムは、第１の実施の形態と異なり、複数の鍵付ボックス４０ａ〜４０ｆ、その複数の鍵付ボックス４０ａ〜４０ｆに対応する複数の固定型電界通信装置２０ａ〜２０ｆ及び複数の電極２４ａ〜２４ｆを備えた構成である。
【００６７】
最初に、携帯型電界通信装置１０の構成及び動作について説明する。携帯型電界通信装置１０の構成及び動作は、図２のブロック図を用いて説明した第１の実施の形態における携帯型電界通信装置１０の構成及び動作と同様なので、ここでは重複した説明を省略する。
【００６８】
次に、固定型電界通信装置２０ａ〜２０ｆの構成について説明する。固定型電界通信装置２０ａ〜２０ｆは、図３のブロック図を用いて説明した第１の実施の形態における固定型電界通信装置２０の構成と同様なので、ここでは重複した説明を省略する。但し、固定型電界通信装置２０ａ〜２０ｆのそれぞれの電極２４ａ〜２４ｆは、鍵付ボックス４０ａ〜４０ｆのそれぞれの表面に接触配置されている。尚、本実施の形態における固定物体２は、鍵付ボックス４０ａ〜４０ｆである。以下、固定型電界通信装置２０ａ，電極２４ａ，及び，鍵付ボックス４０ａを例に説明する。
【００６９】
固定型電界通信装置２０ａの動作について説明する。固定型電界通信装置２０ａは、携帯型電界通信装置１０を所持している登録者１が固定物体２である鍵付ボックス４０ａに接触した場合に、携帯型電界通信装置１０から伝達されてくる識別情報１００を、登録者１と鍵付ボックス４０ａとを介して通信回路２３により電極２４で受信する。そして、処理部２１は、受信した識別情報１００を格納部２２に格納する。その後、処理部２１は、識別情報１００を格納部２２から読み出して、通信ネットワーク３を介して送信部２５から制御装置３０に送信する。
【００７０】
続いて、制御装置３０の構成について説明する。制御装置３０の格納部３２は、図９に示す鍵付ボックス番号と登録情報２００とを関連付けて格納する鍵付ボックス登録情報６００を更に格納しておく。その他の構成は、図４のブロック図を用いて説明した第１の実施の形態における制御装置３０の構成と同様なので、ここでは重複した説明を省略する。
【００７１】
制御装置３０の動作について説明する。制御装置３０は、固定型電界通信装置２０ａから送信されてきた識別情報１００を通信部３３で受信する。そして、処理部３１は、鍵付ボックス登録情報６００の“登録情報”の列に格納された全ての登録情報２００を格納部３２から読み出して、受信した識別情報１００が“登録情報”の列に含まれているかどうかを判定する。判定の結果、含まれている場合に、処理部３１は、その登録情報２００に対応する鍵付ボックス番号を“鍵付ボックス番号”の列から読み出して、開錠信号３００をその鍵付ボックス番号の鍵付ボックス４０ａに通信部３３から送信する。
【００７２】
次に、本実施の形態に係る鍵付ボックス制御システムの全体的な動作についてより具体的に説明する。
【００７３】
制御装置３０に格納された鍵付ボックス登録情報６００には、図９に示すように、鍵付ボックス番号“１０１”に対応する登録情報“１０１−ｙａｍａｄａ”、鍵付ボックス番号“１０２”に対応する登録情報“１０２−ｔａｎａｋａ”、鍵付ボックス番号“１０３”に対応する登録情報“１０３−ｓａｔｏ”、鍵付ボックス番号“１０４”に対応する登録情報“１０４−ｋｏｊｉｍａ”、鍵付ボックス番号“１０５”に対応する登録情報“１０５−ｗａｔａｎａｂｅ”、及び、鍵付ボックス番号“１０６”に対応する登録情報“１０６−ｍｏｒｉｓｈｉｔａ”が格納されている。尚、それぞれの鍵付ボックス番号“１０１”〜“１０６”は、鍵付ボックス４０ａ〜４０ｆのそれぞれに対応している。
【００７４】
携帯型電界通信装置１０は、処理部１１により登録者１の識別情報１００を格納部１２から読み出して、通信回路１３により電極１４から携帯型電界通信装置１０を所持している登録者１に電界を誘起し、識別情報１００を電極１４から登録者に送信する。ここで、登録者１は、鍵付ボックス４０ａの利用が登録されている者であり、所持している携帯型電界通信装置１０の格納部１２には、識別情報“１０１−ｙａｍａｄａ”が格納されている。
【００７５】
携帯型電界通信装置１０を所持している登録者１が鍵付ボックス４０ａに接触した場合に、固定型電界通信装置２０ａは、携帯型電界通信装置１０から伝達されてくる識別情報“１０１−ｙａｍａｄａ”を、登録者１と鍵付ボックス４０ａとを介して通信回路２３により電極２４ａで受信する。そして、処理部２１は、受信した識別情報“１０１−ｙａｍａｄａ”を格納部２２に格納する。その後、処理部２１は、識別情報“１０１−ｙａｍａｄａ”を格納部２２から読み出し、通信ネットワーク３を介して送信部２５から制御装置３０に送信する。
【００７６】
制御装置３０は、固定型電界通信装置２０ａから送信されてきた識別情報“１０１−ｙａｍａｄａ”を通信部３３で受信する。そして、処理部３１は、鍵付ボックス登録情報６００の“登録情報”の列に格納された全ての登録情報２００を格納部３２から読み出して、受信した識別情報“１０１−ｙａｍａｄａ”がその“登録情報”の列に含まれているかどうかを判定する。図９に示すように識別情報“１０１−ｙａｍａｄａ”は“登録情報”の列に含まれているので、処理部３１は、その登録情報“１０１−ｙａｍａｄａ”に対応する鍵付ボックス番号“１０１”を鍵付ボックス登録情報６００の“鍵付ボックス番号”の列から読み出して、開錠信号３００をその鍵付ボックス番号“１０１”の鍵付ボックス４０ａに通信部３３から送信する。
【００７７】
鍵付ボックス４０ａは、制御装置３０から送信されてきた開錠信号３００に基づき、鍵付ボックス４０ａに具備された錠を開錠する。
【００７８】
本実施の形態によれば、鍵付ボックス番号と登録情報とを関連付けた鍵付ボックス登録情報６００を用いて鍵付ボックス４０の開錠を行うので、複数の鍵付ボックス４０ａ〜４０ｆを備える場合であっても、登録者１の鍵付ボックス４０ａを適切に開錠することができる。
【００７９】
尚、本実施の形態では、それぞれの鍵付ボックス４０ａ〜４０ｆに対して、それぞれの固定型電界通信装置２０ａ〜２０ｆ及び電極２４ａ〜２４ｆを備えた構成であるが、制御装置３０は、携帯型電界通信装置１０に格納されている識別情報１００を利用して鍵付ボックス４０ａ〜４０ｆに具備された錠の開錠を行うので、全ての鍵付ボックス４０ａ〜４０ｆに一つの電極２４を接続し、その一つの電極２４に対応する一つの固定型電界通信装置２０を用いて、本実施の形態と同様の動作及び効果を得ることも可能である。
【００８０】
［第４の実施の形態］
図１０は、第４の実施の形態に係る鍵付ボックス制御システムの概略的な構成を示す模式図である。図１０に示すように、本実施の形態は、第１の実施の形態で説明した構成とほぼ同様であるが、複数の鍵付ボックス４０ａ〜４０ｆを備える構成である。
【００８１】
最初に、携帯型電界通信装置１０及び固定型電界通信装置２０の構成及び動作について説明する。携帯型電界通信装置１０及び固定型電界通信装置２０の構成及び動作は、図２及び図３のブロック図を用いて説明した第１の実施の形態における携帯型電界通信装置１０及び固定型電界通信装置２０の構成及び動作と同様なので、ここでは重複した説明を省略する。
【００８２】
次に、制御装置３０の構成について説明する。制御装置３０の格納部３２は、図１１に示す鍵付ボックス番号と登録情報２００と荷物存在情報とを関連付けて格納する鍵付ボックス登録情報６０１と、図１２に示す荷物存在情報とメッセージとを関連付けて格納するメッセージファイル８００と、を更に格納しておく。その他の構成は、図４のブロック図を用いて説明した第１の実施の形態における制御装置３０の構成と同様なので、ここでは重複した説明を省略する。
【００８３】
制御装置３０の動作について説明する。制御装置３０は、鍵付ボックス内の荷物の存在を示す荷物存在信号７００が鍵付ボックス４０ａ〜４０ｆから送信された場合に、送信してきた鍵付ボックスの鍵付ボックス番号を鍵付ボックス登録情報６０１の“鍵付ボックス番号”の列から検索し、検索した鍵付ボックス番号に対応する“荷物存在情報”の列に“有”を格納する。その後、制御装置３０は、登録者１が床マットに接触し、固定型電界通信装置２０を介して携帯型電界通信装置１０から送信された識別情報１００と鍵付ボックス登録情報６０１の“登録情報”の列に格納された登録情報２００とが一致する場合に、その登録情報２００に対応する“荷物存在情報”の列に格納された荷物存在情報を確認し、その荷物存在情報の内容に応じて、鍵付ボックス４０ａ〜４０ｆに付帯した出力装置の制御を行う。荷物存在信号７００が送信されていない場合には、“荷物存在情報”の列には“無”が格納されている。
【００８４】
最後に、鍵付ボックス４０ａ〜４０ｆについて説明する。以下、鍵付ボックス４０ａを例に説明する。鍵付ボックス４０ａの扉の正面には、図１３に示すように、メッセージを画面出力するメッセージモニタ４１ａ、音声出力するメッセージスピーカ４２ａ、及び、鍵付ボックス内の荷物の存在を示す表示ランプ４３ａ、の出力装置を備える。更に、鍵付ボックス４０ａは、扉の正面上部に形成された荷物投函口から荷物が投函された場合に、鍵付ボックス４０ａに具備されたセンサにより荷物の存在を検知し、荷物の存在を示す荷物存在信号７００を制御装置３０に送信する機能を有する。そのセンサは、例えば、重量測定，光線遮断，超音波測定等により実現可能である。
【００８５】
次に、本実施の形態に係る鍵付ボックス制御システムの全体的な動作についてより具体的に説明する。
【００８６】
制御装置３０に格納された鍵付ボックス登録情報６０１には、図１１に示すように、鍵付ボックス番号“１０１”に対応する登録情報“１０１−ｙａｍａｄａ”、鍵付ボックス番号“１０２”に対応する登録情報“１０２−ｔａｎａｋａ”、鍵付ボックス番号“１０３”に対応する登録情報“１０３−ｓａｔｏ”、鍵付ボックス番号“１０４”に対応する登録情報“１０４−ｋｏｊｉｍａ”、鍵付ボックス番号“１０５”に対応する登録情報“１０５−ｗａｔａｎａｂｅ”、及び、鍵付ボックス番号“１０６”に対応する登録情報“１０６−ｍｏｒｉｓｈｉｔａ”が格納されている。また、全ての鍵付ボックス番号“１０１”〜“１０６”に対応する全ての“荷物存在情報”の列には、“無”が格納されている。尚、それぞれの鍵付ボックス番号“１０１”〜“１０６”は、鍵付ボックス４０ａ〜４０ｆのそれぞれに対応している。
【００８７】
鍵付ボックス４０ａは、扉の正面上部に形成された荷物投函口から荷物が投函された場合に、鍵付ボックス４０ａに具備されたセンサにより荷物の存在を検知し、荷物存在信号７００を制御装置３０に送信する。
【００８８】
制御装置３０は、鍵付ボックス４０ａから送信されてきた荷物存在信号７００を通信部３３で受信し、送信してきた鍵付ボックス４０ａの鍵付ボックス番号を鍵付ボックス登録情報６０１の“鍵付ボックス番号”の列から検索し、検索した鍵付ボックス番号“１０１”に対応する“荷物存在情報”の列に“有”を格納する。
【００８９】
携帯型電界通信装置１０は、処理部１１により登録者１の識別情報１００を格納部１２から読み出して、通信回路１３により電極１４から携帯型電界通信装置１０を所持している登録者１に電界を誘起し、識別情報１００を電極１４から登録者に送信する。ここで、登録者１は、鍵付ボックス４０ａの利用を可能とし、所持している携帯型電界通信装置１０の格納部１２には、識別情報“１０１−ｙａｍａｄａ”が格納されている。
【００９０】
携帯型電界通信装置１０を所持している登録者１が固定物体２である床マットに接触した場合に、固定型電界通信装置２０は、携帯型電界通信装置１０から伝達されてくる識別情報“１０１−ｙａｍａｄａ”を、登録者１と床マットとを介して通信回路２３により電極２４で受信する。そして、処理部２１は、受信した識別情報“１０１−ｙａｍａｄａ”を格納部２２に格納する。その後、処理部２１は、識別情報“１０１−ｙａｍａｄａ”を格納部２２から読み出し、通信ネットワーク３を介して送信部２５から制御装置３０に送信する。
【００９１】
制御装置３０は、固定型電界通信装置２０から送信されてきた識別情報“１０１−ｙａｍａｄａ”を通信部３３で受信する。そして、処理部３１は、鍵付ボックス登録情報６０１の“登録情報”の列に格納された全ての登録情報２００を格納部３２から読み出して、受信した識別情報“１０１−ｙａｍａｄａ”がその“登録情報”の列に含まれているかどうかを判定する。図１１に示すように識別情報“１０１−ｙａｍａｄａ”は“登録情報”の列に含まれているので、処理部３１は、その登録情報“１０１−ｙａｍａｄａ”に対応する鍵付ボックス番号“１０１”を鍵付ボックス登録情報６０１の“鍵付ボックス番号”の列から読み出して、開錠信号３００をその鍵付ボックス番号“１０１”の鍵付ボックス４０ａに通信部３３から送信する。
【００９２】
鍵付ボックス４０ａは、制御装置３０から送信されてきた開錠信号３００に基づき、具備された錠を開錠する。
【００９３】
上記開錠信号３００を送信すると共に、制御装置３０は、その登録情報“１０１−ｙａｍａｄａ”に対応する“荷物存在情報”の列に格納された荷物存在情報を読み出す。図１１に示すように、登録情報“１０１−ｙａｍａｄａ”に対応する“荷物存在情報”の列には“有”が格納されているので、その登録情報“１０１−ｙａｍａｄａ”に対応する鍵付ボックス番号“１０１”の鍵付ボックス４０ａに付帯した表示ランプ４３ａを点灯させる。更に、“荷物存在情報”の列に格納された荷物存在情報“有”に対応するメッセージ“荷物があります”を、図１２に示すメッセージファイル８００から読み出して、鍵付ボックス４０ａに付帯したメッセージモニタ４１ａに出力させ、メッセージスピーカ４２ａから音声出力させることも可能である。
【００９４】
一方、“荷物存在情報”の列に“無”が格納されている場合には、制御装置３０は、表示ランプ４３ａを点灯させないと共に、“荷物存在情報”の列に格納された荷物存在情報“無”に対応するメッセージ“荷物はありません”をメッセージファイル８００から読み出して、鍵付ボックス４０ａに付帯したメッセージモニタ４１ａに出力させ、メッセージスピーカ４２ａから音声出力させることも可能である。
【００９５】
本実施の形態によれば、制御装置３０が、荷物の存在を示す荷物存在信号７００を鍵付ボックス４０ａから受信し、鍵付ボックス４０ａの利用が登録された登録者１が床マットに接触した場合に、鍵付ボックス４０ａに付帯したメッセージモニタ４１ａ，メッセージスピーカ４２ａ，又は，表示ランプ４３ａを制御するので、鍵付ボックス４０ａの錠を開錠して扉を開けることなく荷物の存在を確認することができる。また、鍵付ボックス４０ａの扉をあえて透明にする必要がなく、内容物が第三者に盗み見られる等のプライバシー侵害を防ぐことができる。
【００９６】
尚、上記にて説明した全体的な動作では、登録者１が床マットに接触した場合に、制御装置３０が、メッセージモニタ４１ａ，メッセージスピーカ４２ａ，及び，表示ランプ４３ａを制御する動作について説明したが、登録者１が床マットに接触しない場合であっても、制御装置３０が荷物存在信号７００を受信した後にそれら出力装置を制御することも可能である。これにより、登録者は、床マットに接触しない場合であっても、表示ランプ４３ａの点灯等により、荷物の投函の有無を確認可能という効果を得ることができる。
【００９７】
また、図１１に示す鍵付ボックス登録情報６０１に“連絡事項”の列を更に追加し、第三者からの連絡事項をその列に格納することで、登録者１への連絡事項を出力装置に出力させることも可能である。
【００９８】
更に、制御装置３０は、登録者１により鍵付ボックス４０ａの扉が閉められたこと検知した信号を鍵付ボックス４０ａから受けた場合に、その鍵付ボックス４０に具備された錠を施錠する施錠信号３０１を送信することも可能である。この場合、制御装置３０は、該当する鍵付ボックス４０ａの表示ランプ４３ａを消灯させ、鍵付ボックス登録情報６０１の“荷物存在情報”の列に“無”を格納させることも可能である。尚、鍵付ボックス４０ａは、その検知した信号を制御装置３０に送信することなく、自身で錠を施錠することも可能である。
【００９９】
また、制御装置３０は、登録者１により鍵付ボックス４０ａに具備されたボタンが押下されることで送信される信号を受信した時に、その鍵付ボックス４０ａの鍵付ボックス番号“１０１”に対応する“荷物存在情報”の列に格納された荷物存在情報を読み出し、その荷物存在情報に対応するメッセージをメッセージファイル８００の“メッセージ”の列から読み出して、鍵付ボックス４０ａに付帯するメッセージスピーカ４２ａから音声出力させる制御も可能である。
【０１００】
［第５の実施の形態］
図１４は、第５の実施の形態に係る鍵付ボックス制御システムの概略的な構成を示す模式図である。図１４に示すように、本実施の形態における鍵付ボックス制御システムは、固定物体２ａに接続される固定型電界通信装置２０ａ、固定物体２ｂに接続される行先判定用の固定型電界通信装置２０ｂ、通信ネットワーク３に接続された行先照明パネル６０ａと行先照明パネル６０ｂ、を備える。その他の構成は、第４の実施の形態で説明した鍵付ボックス制御システムの構成と同様であるので、ここでは重複した説明を省略する。
【０１０１】
尚、固定物体２ａは、登録者１が鍵付ボックス４０ａ〜４０ｆに接触可能な範囲に配置された床マットであり、一方、固定物体２ｂは、玄関の入り口前に配置された玄関マットである。また、行先照明パネル６０ａ及び行先照明パネル６０ｂは、共に、玄関マットに近接配置された行先判定装置であり、行先照明パネル６０ａは、鍵付ボックス４０ａ〜４０ｆが設置された方向を示す行先照明パネルであり、一方、行先照明パネル６０ｂは、玄関方向を示す行先照明パネルである。
【０１０２】
最初に、携帯型電界通信装置１０，固定型電界通信装置２０ａ，固定型電界通信装置２０ｂ，制御装置３０，及び，鍵付ボックス４０ａ〜４０ｆの構成及び動作について説明する。携帯型電界通信装置１０，固定型電界通信装置２０ａ，固定型電界通信装置２０ｂ，制御装置３０，及び，鍵付ボックス４０ａ〜４０ｆの構成及び動作は、第４の実施の形態で説明した構成及び動作と同様なので、ここでは重複した説明を省略する。
【０１０３】
次に、本実施の形態に係る鍵付ボックス制御システムの全体的な動作についてより具体的に説明する。
【０１０４】
制御装置３０に格納された鍵付ボックス登録情報６０１には、図１１に示すように、鍵付ボックス番号“１０１”に対応する登録情報“１０１−ｙａｍａｄａ”、鍵付ボックス番号“１０２”に対応する登録情報“１０２−ｔａｎａｋａ”、鍵付ボックス番号“１０３”に対応する登録情報“１０３−ｓａｔｏ”、鍵付ボックス番号“１０４”に対応する登録情報“１０４−ｋｏｊｉｍａ”、鍵付ボックス番号“１０５”に対応する登録情報“１０５−ｗａｔａｎａｂｅ”、及び、鍵付ボックス番号“１０６”に対応する登録情報“１０６−ｍｏｒｉｓｈｉｔａ”が格納されている。また、全ての鍵付ボックス番号“１０１”〜“１０６”に対応する全ての“荷物存在情報”の列には、“無”が格納されている。尚、それぞれの鍵付ボックス番号“１０１”〜“１０６”は、鍵付ボックス４０ａ〜４０ｆのそれぞれに対応している。
【０１０５】
鍵付ボックス４０ａは、扉の正面上部に形成された荷物投函口から荷物が投函された場合に、鍵付ボックス４０ａに具備されたセンサにより荷物の存在を検知し、荷物存在信号７００を制御装置３０に送信する。
【０１０６】
制御装置３０は、鍵付ボックス４０ａから送信されてきた荷物存在信号７００を通信部３３で受信し、送信してきた鍵付ボックス４０ａの鍵付ボックス番号を鍵付ボックス登録情報６０１の“鍵付ボックス番号”の列から検索し、検索した鍵付ボックス番号“１０１”に対応する“荷物存在情報”の列に“有”を格納する。
【０１０７】
携帯型電界通信装置１０は、処理部１１により登録者１の識別情報１００を格納部１２から読み出して、通信回路１３により電極１４から携帯型電界通信装置１０を所持している登録者１に電界を誘起し、識別情報１００を電極１４から登録者に送信する。ここで、登録者１は、鍵付ボックス４０ａの利用を可能とし、所持している携帯型電界通信装置１０の格納部１２には、識別情報“１０１−ｙａｍａｄａ”が格納されている。
【０１０８】
携帯型電界通信装置１０を所持している登録者１が固定物体２ｂである玄関マットに接触した場合に、固定型電界通信装置２０ｂは、携帯型電界通信装置１０から伝達されてくる識別情報“１０１−ｙａｍａｄａ”を、登録者１と玄関マットとを介して通信回路２３により電極２４で受信する。そして、処理部２１は、受信した識別情報“１０１−ｙａｍａｄａ”を格納部２２に格納する。その後、処理部２１は、識別情報“１０１−ｙａｍａｄａ”を格納部２２から読み出し、通信ネットワーク３を介して送信部２５から制御装置３０に送信する。
【０１０９】
制御装置３０は、固定型電界通信装置２０ｂから送信されてきた識別情報“１０１−ｙａｍａｄａ”を通信部３３で受信する。そして、処理部３１は、鍵付ボックス登録情報６０１の“登録情報”の列に格納された全ての登録情報２００を格納部３２から読み出して、受信した識別情報“１０１−ｙａｍａｄａ”がその“登録情報”の列に含まれているかどうかを判定する。図１１に示すように識別情報“１０１−ｙａｍａｄａ”は“登録情報”の列に含まれているので、処理部３１は、その登録情報“１０１−ｙａｍａｄａ”に対応する“荷物存在情報”の列に格納された荷物存在情報を読み出す。“荷物存在情報”に“有”が格納されている場合には、制御装置３０は、鍵付ボックス４０ａの配置された方向を示す行先照明パネル６０ａを点灯させる。一方、“無”が格納されている場合には、玄関方向を示す行先照明パネル６０ｂを点灯させる。
【０１１０】
尚、行先照明パネル６０ａ及び行先照明パネル６０ｂに代えて、音声案内表示装置や文字画像表示装置を用いることも可能である。
【０１１１】
本実施の形態によれば、制御装置３０が、行先判定用の他の固定型電界通信装置２０ｂから送信されてきた識別情報１００と格納部３２に格納された登録情報２００とが一致する場合に、鍵付ボックス登録情報６０１の“荷物存在情報”の列に格納された荷物存在情報に基づいて、行先を知らせるための行先照明パネル６０ａ又は行先照明パネル６０ｂを点灯させるので、登録者１は、行先照明パネル６０ａ及び行先照明パネル６０ｂを確認することで、荷物の存在や鍵付ボックス４０ａ〜４０ｆが配置された場所を容易に把握することができる。
【０１１２】
尚、上記にて説明した第１の実施の形態から第５の実施の形態で説明した制御装置３０は、受信した識別情報１００が登録情報２００に一致するかどうかを判定する動作を備える情報判定装置と、その他の鍵付ボックス４０を制御等する動作を備える鍵付ボックス制御装置と、に分散させる構成も可能である。
【０１１３】
また、上記で説明した鍵付ボックスは、ホテルやテナントビル等における各戸の鍵ボックス、ビルやマンション等における各戸の郵便受けや荷物受けに用いることが可能である。
【０１１４】
更に、コインロッカーや貸し金庫等にも適用することが可能であり、その場合には、制御装置３０において、ロッカーの錠を開錠した時刻と施錠した時刻とを管理することで、課金用のログを収集することも可能である。
【図面の簡単な説明】
【０１１５】
【図１】第１の実施の形態に係る鍵付ボックス制御システムの概略的な構成を示す模式図である。
【図２】携帯型電界通信装置の構成を示すブロック図である。
【図３】固定型電界通信装置の構成を示すブロック図である。
【図４】制御装置の構成を示すブロック図である。
【図５】通信回路の構成を示すブロック図である。
【図６】第２の実施の形態に係る鍵付ボックス制御システムの概略的な構成を示す模式図である。
【図７】登録者が固定物体から離れる場合の携帯型電界通信装置と固定型電界通信装置との動作を示すシーケンス図である。
【図８】第３の実施の形態に係る鍵付ボックス制御システムの概略的な構成を示す模式図である。
【図９】鍵付ボックス番号と登録情報とを関連付けて格納する鍵付ボックス登録情報の表である。
【図１０】第４の実施の形態に係る鍵付ボックス制御システムの概略的な構成を示す模式図である。
【図１１】鍵付ボックス番号と登録情報と荷物存在情報とを関連付けて格納する鍵付ボックス登録情報の表である。
【図１２】荷物存在情報とメッセージとを関連付けて格納するメッセージファイルの表である。
【図１３】鍵付ボックスの扉の正面を示す正面図である。
【図１４】第５の実施の形態に係る鍵付ボックス制御システムの概略的な構成を示す模式図である。
【符号の説明】
【０１１６】
１…登録者
２，２ａ，２ｂ…固定物体
３…通信ネットワーク
１０…携帯型電界通信装置
１１，２１，３１…処理部
１２，２２，３２…格納部
１３，２３…通信回路
１４…電極
１４ａ…送信電極
１４ｂ…受信電極
２０，２０ａ〜２０ｆ…固定型電界通信装置
２４，２４ａ〜２４ｆ…電極
２５…送信部
３０…制御装置
３３…通信部
４０，４０ａ〜４０ｆ…鍵付ボックス
４１ａ…メッセージモニタ
４２ａ…メッセージスピーカ
４３ａ…表示ランプ
５０…インタフェース
５１…レベル調整回路
５２…送信回路
５３…電界検出光学部
５４…受光回路
５５…バンドパスフィルタ
５６…波形整形回路
６０ａ，６０ｂ…行先照明パネル
１００…識別情報
２００…登録情報
３００…開錠信号
３０１…施錠信号
４００…応答信号
４０１…確認信号
５００…登録者非接触信号
６００，６０１…鍵付ボックス登録情報
７００…荷物存在信号
８００…メッセージファイル
【図１】
2008082111.tif 000003
【図２】
2008082111.tif 000004
【図３】
2008082111.tif 000005
【図４】
2008082111.tif 000006
【図５】
2008082111.tif 000007
【図６】
2008082111.tif 000008
【図７】
2008082111.tif 000009
【図８】
2008082111.tif 000010
【図９】
2008082111.tif 000011
【図１０】
2008082111.tif 000012
【図１１】
2008082111.tif 000013
【図１２】
2008082111.tif 000014
【図１３】
2008082111.tif 000015
【図１４】
2008082111.tif 000016